(57)【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、第５レンズ群と、から構成され、
前記第１レンズ群および前記第３レンズ群を固定したまま、前記各レンズ群の光軸上の間隔を相対的に変化させることにより広角端から望遠端への変倍を行うズームレンズにおいて、
前記第３レンズ群は、物体側から順に配置された、第３ａレンズ群と、第３ｂレンズ群と、から構成され、
前記第３ａレンズ群は１枚の正レンズから構成され、
前記第３ｂレンズ群は、１枚の正レンズと、１枚の負レンズと、から構成され、
以下に示す条件式を満足することを特徴とするズームレンズ。
（１）  ０．７≦ｆ３ａ／ｆ３≦１．３
（２）  ６８≦νｄ＿３ａ
ただし、ｆ３ａは前記第３ａレンズ群の焦点距離、ｆ３は前記第３レンズ群の焦点距離、νｄ＿３ａは前記第３ａレンズ群を構成する正レンズのｄ線に対するアッベ数を示す。
【請求項２】
前記第３ｂレンズ群に含まれる負レンズのうち、最も物体側に配置されている負レンズは像側に凹面を向けた形状であることを特徴とする請求項１に記載のズームレンズ。
【請求項３】
以下に示す条件式を満足することを特徴とする請求項１または２に記載のズームレンズ。
（３）  ６３≦νｄ＿３ｂｐ
ただし、νｄ＿３ｂｐは前記第３ｂレンズ群に含まれる正レンズのうち、最も物体側に配置されている正レンズのｄ線に対するアッベ数を示す。
【請求項４】
以下に示す条件式を満足することを特徴とする請求項１〜３のいずれか一つに記載のズームレンズ。
（４）  ２．７≦ｆ１／ｆｗ≦６．２
ただし、ｆ１は前記第１レンズ群の焦点距離、ｆｗは広角端におけるレンズ全系の焦点距離を示す。
【請求項５】
以下に示す条件式を満足することを特徴とする請求項１〜４のいずれか一つに記載のズームレンズ。
（５）  １．６≦ｆ３／ｆｗ≦４．１
ただし、ｆｗは広角端におけるレンズ全系の焦点距離を示す。
【請求項６】
前記第４レンズ群は２枚の正レンズを備え、
以下に示す条件式を満足することを特徴とする請求項１〜５のいずれか一つに記載のズームレンズ。
（６）  ６３≦νｄ＿４ｐ
ただし、νｄ＿４ｐは前記第４レンズ群に含まれる正レンズのうち、最も物体側に配置されている正レンズのｄ線に対するアッベ数を示す。
【請求項７】
請求項１〜６のいずれか一つに記載のズームレンズと、該ズームレンズによって形成された光学像を電気的信号に変換する固体撮像素子と、を備えたことを特徴とする撮像装置。
【発明の詳細な説明】
【技術分野】
【０００１】
本発明は、ＣＣＤやＣＭＯＳ等の固体撮像素子が搭載されたズームレンズおよび撮像装置に関し、特に監視カメラに好適なズームレンズに関する。
【背景技術】
【０００２】
近年、ＣＣＤやＣＯＭＳ等の固体撮像素子の高画素化が進み、３００万画素以上の固体撮像素子も普及している。それに伴い、撮像レンズもこのような固体撮像素子に対応可能な高解像力を求められている。さらに、監視カメラに用いる撮像レンズの場合、低照度環境下での撮影を可能とするためＦナンバーが小さいことや、夜間における近赤外光での撮影を可能とするため、近赤外の波長域まで色収差が良好に補正されていることが必要である。また、小型の監視用ドームカメラの普及に伴い、小型のドームに収納可能な大きさであることへの要求も近年高まっている。
【０００３】
従来より、メカ機構の構成を簡素化でき、メカ機構まで含めたレンズ系全体の大きさの小型化を図ることが可能なズームレンズとして、物体側から順に、正の屈折力を有する第１レンズ群と、負の屈折力を有する第２レンズ群と、正の屈折力を有する第３レンズ群と、正の屈折力を有する第４レンズ群と、第５レンズ群と、を配置して、変倍時に第１レンズ群、第３レンズ群が固定され、各レンズ群間の距離を相対的に変化させることで変倍を行うズームレンズが各種提案されてきた。中でも、Ｆナンバーが小さく、比較的高画素の撮像素子に対応可能な解像力を備えたズームレンズが知られている（たとえば、特許文献１を参照。）。
【先行技術文献】
【特許文献】
【０００４】
【特許文献１】特開２０１４−５６０５５号公報
【発明の概要】
【発明が解決しようとする課題】
【０００５】
特許文献１に記載のズームレンズは、変倍比が３．３程度、広角端におけるＦナンバーが１．４程度のズームレンズである。しかしながら、このズームレンズは、近赤外域の波長の光に対する軸上色収差の補正が不十分であるため、夜間における近赤外光での撮影では、高画素の撮像素子に対応可能な解像力が不足している。
【０００６】
本発明は、上述した従来技術による問題点を解消するため、可視光域から近赤外域までの広範な波長域の光に対して色収差が良好に補正され高い解像力を備えた、小型のズームレンズを提供することを目的とする。さらに、可視光域から近赤外域までの広範な波長域の光に対して高い解像力を備えた、高性能な撮像装置を提供することを目的とする。
【課題を解決するための手段】
【０００７】
上述した課題を解決し、目的を達成するため、本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、第５レンズ群と、から構成され、前記第１レンズ群および前記第３レンズ群を固定したまま、前記各レンズ群の光軸上の間隔を相対的に変化させることにより広角端から望遠端への変倍を行うズームレンズにおいて、前記第３レンズ群は、物体側から順に配置された、第３ａレンズ群と、第３ｂレンズ群と、から構成され、前記第３ａレンズ群は１枚の正レンズから構成され、前記第３ｂレンズ群は、少なくとも１枚の正レンズと、少なくとも１枚の負レンズと、を備え、以下に示す条件式を満足することを特徴とする。
（１）  ０．７≦ｆ３ａ／ｆ３≦１．３
（２）  ６８≦νｄ＿３ａ
ただし、ｆ３ａは前記第３ａレンズ群の焦点距離、ｆ３は前記第３レンズ群の焦点距離、νｄ＿３ａは前記第３ａレンズ群を構成する正レンズのｄ線に対するアッベ数を示す。
【０００８】
本発明によれば、可視光域から近赤外域までの広範な波長域の光に対して色収差が良好に補正され高い解像力を備えた、小型のズームレンズを提供することができる。
【０００９】
さらに、本発明にかかるズームレンズは、前記発明において、前記第３ｂレンズ群に含まれる負レンズのうち、最も物体側に配置されている負レンズは像側に凹面を向けた形状であることを特徴とする。
【００１０】
本発明によれば、レンズ系の軸上色収差、倍率色収差の補正能力をさらに向上させることができる。
【００１１】
さらに、本発明にかかるズームレンズは、前記発明において、以下に示す条件式を満足することを特徴とする。
（３）  ６３≦νｄ＿３ｂｐ
ただし、νｄ＿３ｂｐは前記第３ｂレンズ群に含まれる正レンズのうち、最も物体側に配置されている正レンズのｄ線に対するアッベ数を示す。
【００１２】
本発明によれば、可視域から近赤外域までの広範な波長域の光に対して発生する軸上色収差をより良好に補正することができる。
【００１３】
さらに、本発明にかかるズームレンズは、前記発明において、以下に示す条件式を満足することを特徴とする。
（４）  ２．７≦ｆ１／ｆｗ≦６．２
ただし、ｆ１は前記第１レンズ群の焦点距離、ｆｗは広角端におけるレンズ全系の焦点距離を示す。
【００１４】
本発明によれば、第１レンズ群の屈折力を適切な範囲に設定して、レンズ系の解像力を向上させるとともに、レンズ全系の小型化を促進することができる。
【００１５】
さらに、本発明にかかるズームレンズは、前記発明において、以下に示す条件式を満足することを特徴とする。
（５）  １．６≦ｆ３／ｆｗ≦４．１
ただし、ｆｗは広角端におけるレンズ全系の焦点距離を示す。
【００１６】
本発明によれば、第３レンズ群の屈折力を適切な範囲に設定して、レンズ系の解像力を向上させるとともに、レンズ全系の小型化を促進することができる。
【００１７】
さらに、本発明にかかるズームレンズは、前記発明において、前記第４レンズ群は２枚の正レンズを備え、以下に示す条件式を満足することを特徴とする。
（６）  ６３≦νｄ＿４ｐ
ただし、νｄ＿４ｐは前記第４レンズ群に含まれる正レンズのうち、最も物体側に配置されている正レンズのｄ線に対するアッベ数を示す。
【００１８】
本発明によれば、軸上色収差、球面収差、コマ収差を良好に補正することができる。特に、可視域から近赤外域までの広範な波長域の光に対して発生する軸上色収差を良好に補正することができる。
【００１９】
また、本発明にかかる撮像装置は、前記発明におけるズームレンズと、該ズームレンズによって形成された光学像を電気的信号に変換する固体撮像素子と、を備えたことを特徴とする。
【００２０】
本発明によれば、可視光域から近赤外域までの広範な波長域の光に対して高い解像力を備えた、高性能の撮像装置を提供することができる。
【発明の効果】
【００２１】
本発明によれば、可視光域から近赤外域までの広範な波長域の光に対して高い解像力を備えた、小型のズームレンズを提供することができるという効果を奏する。
【００２２】
さらに、本発明によれば、可視光域から近赤外域までの広範な波長域の光に対して高い解像力を備えた、高性能の撮像装置を提供することができるという効果を奏する。
【図面の簡単な説明】
【００２３】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【図７】実施例４にかかるズームレンズの構成を示す光軸に沿う断面図である。
【図８】実施例４にかかるズームレンズの諸収差図である。
【図９】実施例５にかかるズームレンズの構成を示す光軸に沿う断面図である。
【図１０】実施例５にかかるズームレンズの諸収差図である。
【図１１】実施例６にかかるズームレンズの構成を示す光軸に沿う断面図である。
【図１２】実施例６にかかるズームレンズの諸収差図である。
【図１３】本発明にかかるズームレンズを備えた撮像装置の一例を示す図である。
【発明を実施するための形態】
【００２４】
以下、本発明にかかるズームレンズおよび撮像装置の好適な実施の形態を詳細に説明する。
【００２５】
本発明は、可視光域のみならず近赤外域までの広範な波長域の光に対して色収差が良好に補正され高い解像力を備えた、小型のズームレンズを提供することを目的としている。そこで、かかる目的を達成すべく、本発明では、以下に示すような各種条件を設定している。
【００２６】
本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、第５レンズ群と、から構成される。そして、第１レンズ群および第３レンズ群を固定したまま、各レンズ群の光軸上の間隔を相対的に変化させることにより広角端から望遠端への変倍を行う。
【００２７】
広角端から望遠端への変倍の際に、光軸に沿って移動するレンズ群が増えると、設計の自由度が増し、収差補正、レンズ系全長の短縮などの点で有利ではあるが、変倍をつかさどるメカ機構の構成が複雑、大型化し、メカ機構まで含めたレンズ全系の小型化が困難になる。また、メカ機構が複雑になると、製造時に各レンズ群の相対的な偏芯量が増えやすく、解像力の低下を招く要因になる。そこで、本発明にかかるズームレンズでは、小型で高解像力を有するズームレンズを実現すべく、前述のように、広角端から望遠端への変倍に際して移動するレンズ群を最小限にした。
【００２８】
広角端から望遠端への変倍の際に、特に、全レンズ群の中で最も大型で最も重量を有する第１レンズ群を像面に対して固定することにより、変倍をつかさどるメカ機構をさらに簡素化できるので、メカ機構まで含めたレンズ全系の小型化を実現することが容易になるとともに、レンズ鏡筒の強度も確保しやすくなる。
【００２９】
第１レンズ群は、物体側から順に、負レンズと、正レンズと、正レンズと、が配置されて構成されることが好ましい。特に、全レンズ群の中で最も大型になる第１レンズ群を３枚のレンズで構成することにより、解像力を低下させることなく、レンズ系全長の短縮に寄与することできる。
【００３０】
第１レンズ群中の最も物体側に負レンズを配置することで、望遠端における軸上色収差、球面収差、コマ収差を良好に補正することができる。また、第１レンズ群が２枚の正レンズを備えていることにより、正の屈折力をそれぞれ２枚のレンズで分担することができるので、２枚の正レンズの各面における軸上色収差、球面収差、コマ収差の発生を抑制することが可能になる。特に、望遠端における軸上色収差、球面収差、コマ収差を良好に補正することできる。また、第１レンズ群中の物体側に配置された、負レンズと正レンズとによって空気間隔を排除した接合レンズを形成すれば、偏芯等の製造時の誤差による性能劣化を抑制できるともに、レンズ系の小型化にも寄与できる。
【００３１】
第２レンズ群は、物体側から順に、負レンズと、負レンズと、正レンズと、が配置されて構成されることが好ましい。第２レンズ群を３枚のレンズで構成することにより、解像力を低下させることなく、レンズ系全長の短縮に寄与することができる。
【００３２】
第２レンズ群中に正レンズを配置することにより、第２レンズ群において色収差を補正することができ、レンズ系の全変倍域に亘って軸上色収差、倍率色収差を良好に補正することが可能になる。また、第２レンズ群が２枚の負レンズを備えていることにより、負の屈折力をそれぞれ２枚のレンズで分担することができるので、２枚の負レンズの各面における軸上色収差、球面収差、コマ収差等の発生を抑制することが可能になる。この結果、軸上色収差、球面収差、コマ収差等を良好に補正することができる。また、第２レンズ群中の像面側に配置された、負レンズと正レンズとによって空気間隔を排除した接合レンズを形成すれば、偏芯等の製造時の誤差による性能劣化を抑制できるともに、レンズ系の小型化にも寄与できる。
【００３３】
第３レンズ群は、解像性能への影響が大きいため、製造時に偏芯量が増えると大幅な解像力の低下を招きかねない。そこで、広角端から望遠端への変倍の際に、第３レンズ群を像面に対して固定することで、メカ機構を簡素化できるとともに、製造時の偏芯量を抑制することが可能になる。この結果、解像力の低下を防止することができる。また、メカ機構を簡素化できるので、メカ機構まで含めたレンズ全系の小型化を実現することが可能になる。
【００３４】
第４レンズ群は、第３レンズ群によって収斂される光束をさらに収斂させる作用を担っている。第４レンズ群に、第３レンズ群とともに収斂作用を負担させたことで、第３レンズ群における球面収差、コマ収差、軸上色収差の発生を抑制して、解像力を向上させることに寄与している。
【００３５】
第４レンズ群は、物体側から順に、正レンズと、正レンズと、負レンズと、が配置されて構成されることが好ましい。第４レンズ群を３枚のレンズで構成することにより、解像力を低下させることなく、レンズ系全長の短縮に寄与することができる。
【００３６】
特に、第４レンズ群が２枚の正レンズを備えていることで、第４レンズ群における正の屈折力をそれぞれ２枚の正レンズで分担することができ、２枚の正レンズの各面における軸上色収差、球面収差、コマ収差の発生を抑制することが可能になる。この結果、軸上色収差、球面収差、コマ収差を良好に補正することができる。また、第４レンズ群が負レンズを備えていることにより、軸上色収差、倍率色収差を良好に補正することができ、解像力をより向上させることが可能になる。特に、第４レンズ群中の像面側に配置された、正レンズと負レンズとによって空気間隔を排除した接合レンズを形成すれば、偏芯等の製造時の誤差による性能劣化を抑制できるともに、レンズ系の小型化にも寄与できる。
【００３７】
第５レンズ群は、１枚の負レンズと、１枚の正レンズと、が配置されて構成されることが好ましい。第４レンズ群の像側に第５レンズ群を配置したことにより、非点収差を良好に補正することができ、画面の周辺部まで高解像力を維持することが可能になる。
【００３８】
本発明にかかるズームレンズにおいては、第３レンズ群が、第２レンズ群によって発散された光束を収斂させて、像側に続く第４レンズ群へ導く作用を担っている。第３レンズ群では、第２レンズ群によって発散された光束が通過するため、広角端における光線高が最も高くなる。この結果、特に広角端において軸上色収差、球面収差、コマ収差が発生しやすくなる。したがって、広角端における軸上色収差、球面収差、コマ収差を良好に補正する必要があり、第３レンズ群内のレンズ構成が特に重要になる。
【００３９】
そこで、本発明にかかるズームレンズでは、第３レンズ群が、物体側から順に、正の屈折力を有する第３ａレンズ群と、第３ｂレンズ群と、が配置されて構成されることが好ましい。このようにすることで、第２レンズ群で発散された光束を第３ａレンズ群によって速やかに収斂させて、像側に続く第３ｂレンズ群を通過する光線高を下げ、第３ｂレンズ群のレンズ各面における軸上色収差、球面収差、コマ収差の発生を抑制することに貢献している。この結果、軸上色収差、球面収差、コマ収差を良好に補正することが可能になる。
【００４０】
なお、第３ａレンズ群は、正レンズ１枚で構成することが好ましい。このようにすることで、レンズ系全長を短縮することが可能になり、レンズ全系の小型化に貢献することができる。当該正レンズは第３レンズ群中の最も物体側に配置されることになる。このとき、当該正レンズを第２レンズ群によって発散された光束が通過するため、当該正レンズにおいて光線高が高くなり、球面収差、コマ収差が発生しやすくなる。そこで、当該正レンズの少なくとも１面に非球面を形成することが好ましい。このようにすることで、Ｆナンバーが小さくなるのに伴って、全変倍域での発生が顕著になる球面収差、コマ収差を良好に補正することができる。このようにすることで、明るく、高い解像力を備えたズームレンズを実現することができる。
【００４１】
また、第３ｂレンズ群を、少なくとも１枚の正レンズと、少なくとも１枚の負レンズと、を備えて構成することが好ましい。第３ｂレンズ群が少なくとも１枚の正レンズを有することで、第３レンズ群における正の屈折力を第３ａレンズ群と分担することができるので、第３ａレンズ群のレンズ各面における軸上色収差、球面収差、コマ収差の発生を抑制することが可能になる。この結果、軸上色収差、球面収差、コマ収差を良好に補正できるようになるので、レンズ系の解像力を向上させることが可能になる。また、第３ｂレンズ群が少なくとも１枚の負レンズを有することにより、軸上色収差、倍率色収差を良好に補正することができ、レンズ系のさらなる解像力の向上を図ることができる。特に、広角端における近赤外域の光に対して発生する軸上色収差を良好に補正することが可能になる。
【００４２】
なお、第３ｂレンズ群は、最低限、１枚の正レンズと、１枚の負レンズと、を備えていれば、前述の効果が十分得られる。第３ｂレンズ群を２枚のレンズで構成すれば、レンズ系の小型化を促進することができる。さらに、この２枚のレンズで空気間隔を排除した接合レンズを形成した場合は、偏芯等の製造時の誤差による性能劣化を抑制できるともに、さらなるレンズ系の小型化にも寄与することができる。
【００４３】
ところで、２枚のレンズで第３ｂレンズ群を構成する場合、第３ｂレンズ群を、物体側から順に、負レンズと、正レンズと、を配置して構成すると、次のような不都合が生じる。すなわち、第２レンズ群により発散された光束を第３ａレンズ群により収斂させた後、物体側に配置された負レンズにおいて再び光束を跳ね上げることになり、像側に配置された正レンズの光線高が高くなる。この結果、像側に配置された正レンズにおいて球面収差、軸上色収差、コマ収差の発生が顕著になり、球面収差、軸上色収差、コマ収差を補正することが困難になるおそれがある。したがって、第３ｂレンズ群は、物体側から順に、正レンズと、負レンズと、が配置されて構成されることが好ましい。
【００４４】
加えて、本発明にかかるズームレンズでは、上記構成を前提に、第３ａレンズ群の焦点距離をｆ３ａ、第３レンズ群の焦点距離をｆ３、第３ａレンズ群を構成する正レンズのｄ線に対するアッベ数をνｄ＿３ａとするとき、次の条件式を満足することが好ましい。
（１）  ０．７≦ｆ３ａ／ｆ３≦１．３
（２）  ６８≦νｄ＿３ａ
【００４５】
条件式（１）は、第３レンズ群の焦点距離に対する第３ａレンズ群の焦点距離を規定する式である。条件式（１）を満足することで、第３レンズ群における第３ａレンズ群の屈折力を適切な範囲に設定することができ、レンズ系の解像力を向上させることが可能になる。
【００４６】
条件式（１）においてその下限を下回ると、第３ａレンズ群の屈折力が強くなりすぎて、第３ａレンズ群における球面収差、軸上色収差、コマ収差の発生が顕著になる。この結果、広角端において球面収差、軸上色収差、コマ収差を良好に補正することが困難になり、レンズ系の解像力を低下させる要因になる。特に、近赤外域の光に対して発生する軸上色収差を良好に補正することが困難になり、近赤外域の光に対する高い解像力を確保することができなくなる。
【００４７】
一方、条件式（１）においてその上限を上回ると、第３ａレンズ群の屈折力が弱くなりすぎて、第２レンズ群において発散された光束が第３ａレンズ群で十分に収斂されなくなるため第３ｂレンズ群を通過する光線高が高くなり、第３ｂレンズ群のレンズ各面における軸上色収差、球面収差、コマ収差の発生が顕著になる。この結果、少ないレンズ枚数で軸上色収差、球面収差、コマ収差を良好に補正することが困難になる。第３ｂレンズ群を構成するレンズの枚数を増やせば収差補正能力は確保できるが、第３レンズ群の全長が長くなり、レンズ全系の小型化が困難になるという問題が生じる。
【００４８】
なお、上記条件式（１）は、次に示す範囲を満足すると、より好ましい効果が期待できる。
（１ａ）  ０．８≦ｆ３ａ／ｆ３≦１．２
【００４９】
条件式（２）は第３ａレンズ群を構成する正レンズのｄ線に対するアッベ数を規定する式である。条件式（２）を満足することにより、可視域から近赤外域までの広範な波長域に光に対して発生する軸上色収差を良好に補正することができる。第２レンズ群によって発散された光束が通過する第３レンズ群では、最も物体側に位置する第３ａレンズ群の正レンズにおいて広角端での光線高が最も高くなるため、軸上色収差が特に発生しやすくなる。したがって、軸上色収差を良好に補正するためには、第３ａレンズ群における正レンズの硝材を適切に選択することが特に重要である。
【００５０】
条件式（２）においてその下限を下回ると、第３ａレンズ群における軸上色収差の発生が顕著になる。この結果、第３レンズ群全体における軸上色収差の補正が不足して、広角端において発生する軸上色収差を良好に補正することが困難になり、レンズ系の解像力を低下させる要因になる。特に、近赤外域の光に対して発生する軸上色収差を良好に補正することが困難になり、近赤外域の光に対する高い解像力を確保することができなくなる。
【００５１】
なお、上記条件式（２）は、次に示す範囲を満足すると、より好ましい効果が期待できる。
（２ａ）  ７４≦νｄ＿３ａ
【００５２】
さらに、本発明にかかるズームレンズでは、第３ｂレンズ群に含まれる負レンズのうち、最も物体側に配置されている負レンズは像側に凹面を向けた形状であることが好ましい。このようにすることで、軸上色収差、倍率色収差の補正能力をより向上させることができる。この結果、レンズ系の解像力のさらなる向上を図ることが可能になる。
【００５３】
さらに、本発明にかかるズームレンズでは、第３ｂレンズ群に含まれる正レンズのうち、最も物体側に配置されている正レンズのｄ線に対するアッベ数をνｄ＿３ｂｐとするとき、次の条件式を満足することが好ましい。
（３）  ６３≦νｄ＿３ｂｐ
【００５４】
条件式（３）は、第３ｂレンズ群に含まれる正レンズのうち、最も物体側に配置された正レンズのｄ線に対するアッベ数を規定する式である。条件式（３）を満足することにより、可視域から近赤外域までの広範な波長域の光に対して発生する軸上色収差をさらに良好に補正することができる。
【００５５】
条件式（３）においてその下限を下回ると、第３ｂレンズ群における軸上色収差の発生が顕著になる。この結果、第３レンズ群における軸上色収差の補正が不足して、広角端において発生する軸上色収差を良好に補正することが困難になり、レンズ系の解像力を低下させる要因になる。特に、近赤外域の光に対して発生する軸上色収差を良好に補正することが困難になり、近赤外域の光に対する高い解像力を確保することができなくなる。
【００５６】
なお、上記条件式（３）は、次に示す範囲を満足すると、より好ましい効果が期待できる。
（３ａ）  ６８≦νｄ＿３ｂｐ
【００５７】
さらに、本発明にかかるズームレンズでは、第１レンズ群の焦点距離をｆ１、広角端におけるレンズ全系の焦点距離をｆｗとするとき、次の条件式を満足することが好ましい。
（４）  ２．７≦ｆ１／ｆｗ≦６．２
【００５８】
条件式（４）は、広角端におけるレンズ全系の焦点距離に対する第１レンズ群の焦点距離を規定する式である。条件式（４）を満足することで、第１レンズ群の屈折力を適切な範囲に設定して、レンズ系の解像力を向上させるとともに、レンズ全系の小型化を促進することができる。
【００５９】
条件式（４）においてその下限を下回ると、第１レンズ群の屈折力が強くなりすぎて、望遠端において第１レンズ群のレンズ各面における球面収差、軸上色収差、コマ収差の発生が顕著になる。この結果、望遠端における球面収差、軸上色収差、コマ収差の補正が困難になり、レンズ系の解像力を低下させる要因になる。
【００６０】
一方、条件式（４）においてその上限を上回ると、第１レンズ群の屈折力が弱くなりすぎて、諸収差の補正は容易になるものの、レンズ系の全長が長くなり、レンズ全系の小型化が困難になる。
【００６１】
なお、上記条件式（４）は、次に示す範囲を満足すると、より好ましい効果が期待できる。
（４ａ）  ３．１≦ｆ１／ｆｗ≦５．４
【００６２】
また、上記条件式（４ａ）は、次に示す範囲を満足すると、さらに好ましい効果が期待できる。
（４ｂ）  ３．５≦ｆ１／ｆｗ≦５．０
【００６３】
さらに、本発明にかかるズームレンズでは、第３レンズ群の焦点距離をｆ３、広角端におけるレンズ全系の焦点距離をｆｗとするとき、次の条件式を満足することが好ましい。
（５）  １．６≦ｆ３／ｆｗ≦４．１
【００６４】
条件式（５）は、広角端におけるレンズ全系の焦点距離に対する第３レンズ群の焦点距離を規定する式である。条件式（５）を満足することで、第３レンズ群の屈折力を適切な範囲に設定して、レンズ系の解像力を向上させるとともに、レンズ全系の小型化を促進することができる。
【００６５】
条件式（５）においてその下限を下回ると、第３レンズ群の屈折力が強くなりすぎて、第３レンズ群を構成するレンズ各面における球面収差、軸上色収差、コマ収差の発生が顕著になる。この結果、広角端における球面収差、軸上色収差、コマ収差の補正が困難になり、レンズ系の解像力を低下させる要因になる。
【００６６】
一方、条件式（５）においてその上限を上回ると、第３レンズ群の屈折力が弱くなりすぎて、諸収差の補正は容易になるものの、レンズ系の全長が長くなり、レンズ全系の小型化が困難になる。
【００６７】
なお、上記条件式（５）は、次に示す範囲を満足すると、より好ましい効果が期待できる。
（５ａ）  １．９≦ｆ３／ｆｗ≦３．８
【００６８】
また、上記条件式（５ａ）は、次に示す範囲を満足すると、さらに好ましい効果が期待できる。
（５ｂ）  ２．１≦ｆ３／ｆｗ≦３．５
【００６９】
さらに、本発明にかかるズームレンズでは、第４レンズ群は２枚の正レンズを備えていることが好ましい。第４レンズ群が２枚の正レンズを有することで、第４レンズ群における正の屈折力を２枚のレンズで分担することができ、第４レンズ群を構成するレンズ各面における軸上色収差、球面収差、コマ収差の発生を抑制することが可能になる。この結果、軸上色収差、球面収差、コマ収差を良好に補正して、レンズ系の解像力をさらに向上させることができる。
【００７０】
加えて、本発明にかかるズームレンズでは、第４レンズ群が２枚の正レンズを備えていることを前提に、第４レンズ群に含まれる正レンズのうち、最も物体側に配置されている正レンズのｄ線に対するアッベ数をνｄ＿４ｐとするとき、次の条件式を満足することが好ましい。
（６）  ６３≦νｄ＿４ｐ
【００７１】
条件式（６）は、第４レンズ群に含まれる正レンズのうち、最も物体側に配置されている正レンズのｄ線に対するアッベ数を規定する式である。条件式（６）を満足することにより、可視域から近赤外域までの広範の波長域の光に対して発生する軸上色収差を良好に補正することができる。第４レンズ群には第３レンズ群によって収斂された光束をさらに収斂させる作用を担わせている。このため、第４レンズ群を構成する正レンズのうち、最も物体側に配置されている正レンズの高い位置を光線が通過することになり、軸上色収差が発生しやすくなる。したがって、第４レンズ群を構成する正レンズのうち、最も物体側に配置されている正レンズを形成するための硝材を適切に選択することが重要である。
【００７２】
条件式（６）においてその下限を下回ると、第４レンズ群における軸上色収差、倍率色収差の発生が顕著になる。この結果、レンズ系の解像力が低下する。特に、広角端において近赤外域の光に対して発生する軸上色収差を良好に補正することが困難になる。
【００７３】
なお、上記条件式（６）は、次に示す範囲を満足すると、より好ましい効果が期待できる。
（６ａ）  ６８≦νｄ＿４ｐ
【００７４】
以上説明したように、本発明によれば、上記構成を備えることにより、高画素、高感度化が進んだ固体撮像素子に対応可能な高い解像力を備え、特に可視光域から近赤外域までの広範な波長の光に対して発生する諸収差を全変倍域に亘って良好に補正することが可能な、小型のズームレンズを実現することができる。
【００７５】
このような特徴を備えた本発明にかかるズームレンズは、可視光域のみならず近赤外域までの広範な波長域の光に対しても高い解像力が要求される撮像装置に好適である。
【００７６】
さらに、本発明は、可視光域から近赤外域までの広範な波長域の光に対して高い解像力を備えた、高性能の撮像装置を提供することを目的とする。この目的を達成するためには、上記構成を備えたズームレンズと、このズームレンズによって形成された光学像を電気的信号に変換する固体撮像素子と、を備えて撮像装置を構成すればよい。このようにすることで、可視光域のみならず近赤外域までの広範な波長域の光に対しても高い解像力を備えた、高性能の撮像装置を実現することができる。
【００７７】
以下、本発明にかかるズームレンズの実施例を図面に基づき詳細に説明する。なお、以下の実施例により本発明が限定されるものではない。
【実施例１】
【００７８】
図１は、実施例１にかかるズームレンズの構成を示す光軸に沿う断面図である。同図は、レンズ系の広角端の状態を示している。このズームレンズは、図示しない物体側から順に、正の屈折力を有する第１レンズ群Ｇ11と、負の屈折力を有する第２レンズ群Ｇ12と、正の屈折力を有する第３レンズ群Ｇ13と、正の屈折力を有する第４レンズ群Ｇ14と、正の屈折力を有する第５レンズ群Ｇ15と、が配置されて構成される。第２レンズ群Ｇ12と第３レンズ群Ｇ13との間には、所定の口径を規定する開口絞りＳＴＯＰが配置される。第５レンズ群Ｇ15と像面ＩＭＧとの間には、カバーガラスＣＧが配置される。
【００７９】
第１レンズ群Ｇ11は、物体側から順に、負レンズＬ111と、正レンズＬ112と、正レンズＬ113と、が配置されて構成される。負レンズＬ111と正レンズＬ112とは、接合されている。
【００８０】
第２レンズ群Ｇ12は、物体側から順に、負レンズＬ121と、負レンズＬ122と、正レンズＬ123と、が配置されて構成される。負レンズＬ122と正レンズＬ123とは、接合されている。
【００８１】
第３レンズ群Ｇ13は、物体側から順に、正の屈折力を有する第３ａレンズ群Ｇ13aと、第３ｂレンズ群Ｇ13bと、が配置されて構成される。
【００８２】
第３ａレンズ群Ｇ13aは、正レンズＬ131により構成される。正レンズＬ131の両面には、非球面が形成されている。第３ｂレンズ群Ｇ13bは、物体側から順に、正レンズＬ132と、負レンズＬ133と、が配置されて構成される。負レンズＬ133は、像面ＩＭＧ側に凹面を向けて配置されている。正レンズＬ132と負レンズＬ133とは、接合されている。
【００８３】
第４レンズ群Ｇ14は、物体側から順に、正レンズＬ141と、正レンズＬ142と、負レンズＬ143と、が配置されて構成される。正レンズＬ141の両面には、非球面が形成されている。正レンズＬ142と負レンズＬ143とは、接合されている。
【００８４】
第５レンズ群Ｇ15は、物体側から順に、負レンズＬ151と、正レンズＬ152と、が配置されて構成される。
【００８５】
このズームレンズは、第１レンズ群Ｇ11、開口絞りＳＴＯＰ、第３レンズ群Ｇ13、および第５レンズ群Ｇ15を像面ＩＭＧに対して固定したまま、第２レンズ群Ｇ12および第４レンズ群Ｇ14を光軸に沿って移動させることによって、広角端から望遠端への変倍を行う。より具体的には、第２レンズ群Ｇ12を物体側から像面ＩＭＧ側へ移動させることによって、広角端から望遠端への変倍を行い、第４レンズ群Ｇ14を光軸に沿って移動させて、変倍に伴う焦点位置の補正、および合焦を行う。
【００８６】
以下、実施例１にかかるズームレンズに関する各種数値データを示す。
【００８７】
（面データ）
ｒ1＝67.918
ｄ1＝1.00    ｎｄ1＝1.92286    νｄ1＝18.90
ｒ2＝42.984
ｄ2＝3.65    ｎｄ2＝1.49700    νｄ2＝81.61
ｒ3＝-68.509
ｄ3＝0.10
ｒ4＝25.447
ｄ4＝2.46    ｎｄ3＝1.59349    νｄ3＝67.00
ｒ5＝56.018
ｄ5＝D(5)（可変）
ｒ6＝-63.630
ｄ6＝0.60    ｎｄ4＝1.80420    νｄ4＝46.50
ｒ7＝16.343
ｄ7＝2.11
ｒ8＝-17.805
ｄ8＝0.78    ｎｄ5＝1.51680    νｄ5＝64.20
ｒ9＝19.243
ｄ9＝1.84    ｎｄ6＝1.95906    νｄ6＝17.47
ｒ10＝66.934
ｄ10＝D(10)（可変）
ｒ11＝∞（開口絞り）
ｄ11＝0.54
ｒ12＝21.358（非球面）
ｄ12＝3.16    ｎｄ7＝1.55332    νｄ7＝71.68
ｒ13＝-45.940（非球面）
ｄ13＝0.10
ｒ14＝13.062
ｄ14＝3.10    ｎｄ8＝1.43700    νｄ8＝95.10
ｒ15＝-65.058
ｄ15＝0.80    ｎｄ9＝1.73800    νｄ9＝32.26
ｒ16＝24.497
ｄ16＝D(16)（可変）
ｒ17＝27.199（非球面）
ｄ17＝2.53    ｎｄ10＝1.49710    νｄ10＝81.56
ｒ18＝-20.210（非球面）
ｄ18＝0.10
ｒ19＝8.805
ｄ19＝2.00    ｎｄ11＝1.43700    νｄ11＝95.10
ｒ20＝13.243
ｄ20＝1.56    ｎｄ12＝1.72047    νｄ12＝34.71
ｒ21＝7.621
ｄ21＝D(21)（可変）
ｒ22＝26.820
ｄ22＝0.56    ｎｄ13＝1.72047    νｄ13＝34.71
ｒ23＝8.663
ｄ23＝0.70
ｒ24＝18.494
ｄ24＝1.59    ｎｄ14＝1.91082    νｄ14＝35.25
ｒ25＝-115.233
ｄ25＝6.29
ｒ26＝∞
ｄ26＝1.50    ｎｄ15＝1.51633    νｄ15＝64.14
ｒ27＝∞
ｄ27＝0.50
ｒ28＝∞（像面）
【００８８】
円錐係数（ε）および非球面係数（Ａ，Ｂ，Ｃ，Ｄ，Ｅ）
（第１２面）
ε＝1.0000，
Ａ＝0，Ｂ＝3.44901×10-5，Ｃ＝5.38956×10-7，
Ｄ＝-5.26594×10-9，Ｅ＝2.88724×10-10
（第１３面）
ε＝1.0000，
Ａ＝0，Ｂ＝8.36982×10-5，Ｃ＝5.87291×10-7，
Ｄ＝-6.59230×10-9，Ｅ＝3.72006×10-10
（第１７面）
ε＝1.0000，
Ａ＝0，Ｂ＝-7.69342×10-5，Ｃ＝1.29819×10-6，
Ｄ＝-8.12607×10-8，Ｅ＝1.80590×10-9
（第１８面）
ε＝1.0000，
Ａ＝0，Ｂ＝1.95080×10-5，Ｃ＝1.22824×10-6，
Ｄ＝-7.88723×10-8，Ｅ＝1.86897×10-9
【００８９】
（各種データ）
広角端    中間焦点位置    望遠端
焦点距離            10.09       19.79          38.83
Ｆナンバー            1.69        1.81           2.15
半画角（ω）        20.4         10.1             5.1
D(5)                  1.10      10.20          18.23
D(10)                19.41      10.31           2.28
D(16)                 4.93       2.72           2.86
D(21)                 1.82       4.03           3.89
【００９０】
（ズームレンズ群データ）
群    始面      焦点距離
１      １        41.81
２      ６       -11.67
３    １２        23.72
４    １７        26.42
５    ２２       299.67
【００９１】
（条件式（１）に関する数値）
ｆ３ａ（第３ａレンズ群Ｇ13aの焦点距離）＝26.80
ｆ３（第３レンズ群Ｇ13の焦点距離）＝23.72
ｆ３ａ／ｆ３＝1.13
【００９２】
（条件式（２）に関する数値）
νｄ＿３ａ（正レンズＬ131のｄ線に対するアッベ数）＝71.68
【００９３】
（条件式（３）に関する数値）
νｄ＿３ｂｐ（正レンズＬ132のｄ線に対するアッベ数）＝95.10
【００９４】
（条件式（４）に関する数値）
ｆ１（第１レンズ群Ｇ11の焦点距離）＝41.81
ｆｗ（広角端におけるレンズ全系の焦点距離）＝10.09
ｆ１／ｆｗ＝4.14
【００９５】
（条件式（５）に関する数値）
ｆ３（第３レンズ群Ｇ13の焦点距離）＝23.72
ｆｗ（広角端におけるレンズ全系の焦点距離）＝10.09
ｆ３／ｆｗ＝2.35
【００９６】
（条件式（６）に関する数値）
νｄ＿４ｐ（正レンズＬ141のｄ線に対するアッベ数）＝81.56
【００９７】
図２は、実施例１にかかるズームレンズの諸収差図である。球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【実施例２】
【００９８】
図３は、実施例２にかかるズームレンズの構成を示す光軸に沿う断面図である。同図は、レンズ系の広角端の状態を示している。このズームレンズは、図示しない物体側から順に、正の屈折力を有する第１レンズ群Ｇ21と、負の屈折力を有する第２レンズ群Ｇ22と、正の屈折力を有する第３レンズ群Ｇ23と、正の屈折力を有する第４レンズ群Ｇ24と、負の屈折力を有する第５レンズ群Ｇ25と、が配置されて構成される。第２レンズ群Ｇ22と第３レンズ群Ｇ23との間には、所定の口径を規定する開口絞りＳＴＯＰが配置される。第５レンズ群Ｇ25と像面ＩＭＧとの間には、カバーガラスＣＧが配置される。
【００９９】
第１レンズ群Ｇ21は、物体側から順に、負レンズＬ211と、正レンズＬ212と、正レンズＬ213と、が配置されて構成される。負レンズＬ211と正レンズＬ212とは、接合されている。
【０１００】
第２レンズ群Ｇ22は、物体側から順に、負レンズＬ221と、負レンズＬ222と、正レンズＬ223と、が配置されて構成される。負レンズＬ222と正レンズＬ223とは、接合されている。
【０１０１】
第３レンズ群Ｇ23は、物体側から順に、正の屈折力を有する第３ａレンズ群Ｇ23aと、第３ｂレンズ群Ｇ23bと、が配置されて構成される。
【０１０２】
第３ａレンズ群Ｇ23aは、正レンズＬ231により構成される。正レンズＬ231の両面には、非球面が形成されている。第３ｂレンズ群Ｇ23bは、物体側から順に、正レンズＬ232と、負レンズＬ233と、が配置されて構成される。負レンズＬ233は、像面ＩＭＧ側に凹面を向けて配置されている。正レンズＬ232と負レンズＬ233とは、接合されている。
【０１０３】
第４レンズ群Ｇ24は、物体側から順に、正レンズＬ241と、正レンズＬ242と、負レンズＬ243と、が配置されて構成される。正レンズＬ241の両面には、非球面が形成されている。正レンズＬ242と負レンズＬ243とは、接合されている。
【０１０４】
第５レンズ群Ｇ25は、物体側から順に、負レンズＬ251と、正レンズＬ252と、が配置されて構成される。
【０１０５】
このズームレンズは、第１レンズ群Ｇ21、開口絞りＳＴＯＰ、第３レンズ群Ｇ23、および第５レンズ群Ｇ25を像面ＩＭＧに対して固定したまま、第２レンズ群Ｇ22および第４レンズ群Ｇ24を光軸に沿って移動させることによって、広角端から望遠端への変倍を行う。より具体的には、第２レンズ群Ｇ22を物体側から像面ＩＭＧ側へ移動させることによって、広角端から望遠端への変倍を行い、第４レンズ群Ｇ24を光軸に沿って移動させて、変倍に伴う焦点位置の補正、および合焦を行う。
【０１０６】
以下、実施例２にかかるズームレンズに関する各種数値データを示す。
【０１０７】
（面データ）
ｒ1＝72.390
ｄ1＝1.00    ｎｄ1＝1.92286    νｄ1＝20.88
ｒ2＝43.764
ｄ2＝3.40    ｎｄ2＝1.49700    νｄ2＝81.61
ｒ3＝-74.686
ｄ3＝0.10
ｒ4＝30.407
ｄ4＝2.40    ｎｄ3＝1.61800    νｄ3＝63.40
ｒ5＝64.890
ｄ5＝D(5)（可変）
ｒ6＝-69.490
ｄ6＝0.60    ｎｄ4＝1.78590    νｄ4＝43.93
ｒ7＝18.301
ｄ7＝1.71
ｒ8＝-19.128
ｄ8＝0.55    ｎｄ5＝1.51680    νｄ5＝64.20
ｒ9＝21.464
ｄ9＝1.71    ｎｄ6＝1.95906    νｄ6＝17.47
ｒ10＝87.183
ｄ10＝D(10)（可変）
ｒ11＝∞（開口絞り）
ｄ11＝0.42
ｒ12＝13.692（非球面）
ｄ12＝2.89    ｎｄ7＝1.49710    νｄ7＝81.56
ｒ13＝-184.620（非球面）
ｄ13＝0.10
ｒ14＝14.999
ｄ14＝2.88    ｎｄ8＝1.43700    νｄ8＝95.10
ｒ15＝-79.092
ｄ15＝0.88    ｎｄ9＝1.74950    νｄ9＝35.33
ｒ16＝18.101
ｄ16＝D(16)（可変）
ｒ17＝17.875（非球面）
ｄ17＝2.60    ｎｄ10＝1.49710    νｄ10＝81.56
ｒ18＝-17.615（非球面）
ｄ18＝0.10
ｒ19＝9.297
ｄ19＝2.14    ｎｄ11＝1.43700    νｄ11＝95.10
ｒ20＝10.549
ｄ20＝1.96    ｎｄ12＝1.64769    νｄ12＝33.84
ｒ21＝6.900
ｄ21＝D(21)（可変）
ｒ22＝35.039
ｄ22＝0.45    ｎｄ13＝1.83400    νｄ13＝37.35
ｒ23＝9.793
ｄ23＝0.50
ｒ24＝18.673
ｄ24＝1.39    ｎｄ14＝1.88100    νｄ14＝40.14
ｒ25＝-81.081
ｄ25＝6.28
ｒ26＝∞
ｄ26＝1.50    ｎｄ15＝1.51633    νｄ15＝64.14
ｒ27＝∞
ｄ27＝0.50
ｒ28＝∞（像面）
【０１０８】
円錐係数（ε）および非球面係数（Ａ，Ｂ，Ｃ，Ｄ，Ｅ）
（第１２面）
ε＝1.0000，
Ａ＝0，Ｂ＝2.36209×10-6，Ｃ＝1.20099×10-6，
Ｄ＝-4.38589×10-8，Ｅ＝8.31154×10-10
（第１３面）
ε＝1.0000，
Ａ＝0，Ｂ＝8.68784×10-5，Ｃ＝1.14366×10-6，
Ｄ＝-4.19602×10-8，Ｅ＝9.13929×10-10
（第１７面）
ε＝1.0000，
Ａ＝0，Ｂ＝-1.02251×10-4，Ｃ＝1.03311×10-6，
Ｄ＝-8.58837×10-8，Ｅ＝1.51734×10-9
（第１８面）
ε＝1.0000，
Ａ＝0，Ｂ＝3.80853×10-5，Ｃ＝5.87307×10-7，
Ｄ＝-6.83737×10-8，Ｅ＝1.33941×10-9
【０１０９】
（各種データ）
広角端    中間焦点位置    望遠端
焦点距離            10.09       19.79          38.83
Ｆナンバー            1.65        1.82           2.75
半画角（ω）        20.4         10.1             5.1
D(5)                  0.94      11.31          20.49
D(10)                21.61      11.25           2.06
D(16)                 4.36       2.51           2.09
D(21)                 1.85       3.69           4.12
【０１１０】
（ズームレンズ群データ）
群    始面      焦点距離
１      １        48.29
２      ６       -13.55
３    １２        32.18
４    １７        18.87
５    ２２      -774.04
【０１１１】
（条件式（１）に関する数値）
ｆ３ａ（第３ａレンズ群Ｇ23aの焦点距離）＝25.77
ｆ３（第３レンズ群Ｇ23の焦点距離）＝32.18
ｆ３ａ／ｆ３＝0.80
【０１１２】
（条件式（２）に関する数値）
νｄ＿３ａ（正レンズＬ231のｄ線に対するアッベ数）＝81.56
【０１１３】
（条件式（３）に関する数値）
νｄ＿３ｂｐ（正レンズＬ232のｄ線に対するアッベ数）＝95.10
【０１１４】
（条件式（４）に関する数値）
ｆ１（第１レンズ群Ｇ21の焦点距離）＝48.29
ｆｗ（広角端におけるレンズ全系の焦点距離）＝10.09
ｆ１／ｆｗ＝4.79
【０１１５】
（条件式（５）に関する数値）
ｆ３（第３レンズ群Ｇ23の焦点距離）＝32.18
ｆｗ（広角端におけるレンズ全系の焦点距離）＝10.09
ｆ３／ｆｗ＝3.19
【０１１６】
（条件式（６）に関する数値）
νｄ＿４ｐ（正レンズＬ241のｄ線に対するアッベ数）＝81.56
【０１１７】
図４は、実施例２にかかるズームレンズの諸収差図である。球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【実施例３】
【０１１８】
図５は、実施例３にかかるズームレンズの構成を示す光軸に沿う断面図である。同図は、レンズ系の広角端の状態を示している。このズームレンズは、図示しない物体側から順に、正の屈折力を有する第１レンズ群Ｇ31と、負の屈折力を有する第２レンズ群Ｇ32と、正の屈折力を有する第３レンズ群Ｇ33と、正の屈折力を有する第４レンズ群Ｇ34と、正の屈折力を有する第５レンズ群Ｇ35と、が配置されて構成される。第２レンズ群Ｇ32と第３レンズ群Ｇ33との間には、所定の口径を規定する開口絞りＳＴＯＰが配置される。第５レンズ群Ｇ35と像面ＩＭＧとの間には、カバーガラスＣＧが配置される。
【０１１９】
第１レンズ群Ｇ31は、物体側から順に、負レンズＬ311と、正レンズＬ312と、正レンズＬ313と、が配置されて構成される。負レンズＬ311と正レンズＬ312とは、接合されている。
【０１２０】
第２レンズ群Ｇ32は、物体側から順に、負レンズＬ321と、負レンズＬ322と、正レンズＬ323と、が配置されて構成される。負レンズＬ322と正レンズＬ323とは、接合されている。
【０１２１】
第３レンズ群Ｇ33は、物体側から順に、正の屈折力を有する第３ａレンズ群Ｇ33aと、第３ｂレンズ群Ｇ33bと、が配置されて構成される。
【０１２２】
第３ａレンズ群Ｇ33aは、正レンズＬ331により構成される。正レンズＬ331の両面には、非球面が形成されている。第３ｂレンズ群Ｇ33bは、物体側から順に、正レンズＬ332と、負レンズＬ333と、が配置されて構成される。負レンズＬ333は、像面ＩＭＧ側に凹面を向けて配置されている。正レンズＬ332と負レンズＬ333とは、接合されている。
【０１２３】
第４レンズ群Ｇ34は、物体側から順に、正レンズＬ341と、正レンズＬ342と、負レンズＬ343と、が配置されて構成される。正レンズＬ341の両面には、非球面が形成されている。正レンズＬ342と負レンズＬ343とは、接合されている。
【０１２４】
第５レンズ群Ｇ35は、物体側から順に、負レンズＬ351と、正レンズＬ352と、が配置されて構成される。
【０１２５】
このズームレンズは、第１レンズ群Ｇ31、開口絞りＳＴＯＰ、第３レンズ群Ｇ33、および第５レンズ群Ｇ35を像面ＩＭＧに対して固定したまま、第２レンズ群Ｇ32および第４レンズ群Ｇ34を光軸に沿って移動させることによって、広角端から望遠端への変倍を行う。より具体的には、第２レンズ群Ｇ32を物体側から像面ＩＭＧ側へ移動させることによって、広角端から望遠端への変倍を行い、第４レンズ群Ｇ34を光軸に沿って移動させて、変倍に伴う焦点位置の補正、および合焦を行う。
【０１２６】
以下、実施例３にかかるズームレンズに関する各種数値データを示す。
【０１２７】
（面データ）
ｒ1＝71.157
ｄ1＝0.90    ｎｄ1＝1.92286    νｄ1＝18.90
ｒ2＝45.077
ｄ2＝3.50    ｎｄ2＝1.49700    νｄ2＝81.61
ｒ3＝-65.956
ｄ3＝0.10
ｒ4＝23.400
ｄ4＝2.40    ｎｄ3＝1.59282    νｄ3＝68.62
ｒ5＝52.120
ｄ5＝D(5)（可変）
ｒ6＝-50.491
ｄ6＝0.60    ｎｄ4＝1.80610    νｄ4＝40.73
ｒ7＝14.257
ｄ7＝1.80
ｒ8＝-16.978
ｄ8＝0.90    ｎｄ5＝1.51680    νｄ5＝64.20
ｒ9＝18.254
ｄ9＝1.66    ｎｄ6＝2.00272    νｄ6＝19.32
ｒ10＝96.372
ｄ10＝D(10)（可変）
ｒ11＝∞（開口絞り）
ｄ11＝0.30
ｒ12＝15.212（非球面）
ｄ12＝3.22    ｎｄ7＝1.49710    νｄ7＝81.56
ｒ13＝-68.901（非球面）
ｄ13＝0.48
ｒ14＝15.379
ｄ14＝3.13    ｎｄ8＝1.49700    νｄ8＝81.61
ｒ15＝-74.227
ｄ15＝0.62    ｎｄ9＝1.74950    νｄ9＝35.33
ｒ16＝19.753
ｄ16＝D(16)（可変）
ｒ17＝21.493（非球面）
ｄ17＝3.21    ｎｄ10＝1.49710    νｄ10＝81.56
ｒ18＝-23.403（非球面）
ｄ18＝0.10
ｒ19＝8.648
ｄ19＝1.82    ｎｄ11＝1.43700    νｄ11＝95.10
ｒ20＝14.063
ｄ20＝1.66    ｎｄ12＝1.72047    νｄ12＝34.71
ｒ21＝7.833
ｄ21＝D(21)（可変）
ｒ22＝26.761
ｄ22＝0.55    ｎｄ13＝1.72047    νｄ13＝34.71
ｒ23＝9.922
ｄ23＝0.88
ｒ24＝11.936
ｄ24＝1.62    ｎｄ14＝1.90043    νｄ14＝37.37
ｒ25＝39.416
ｄ25＝6.28
ｒ26＝∞
ｄ26＝1.50    ｎｄ15＝1.51633    νｄ15＝64.14
ｒ27＝∞
ｄ27＝0.50
ｒ28＝∞（像面）
【０１２８】
円錐係数（ε）および非球面係数（Ａ，Ｂ，Ｃ，Ｄ，Ｅ）
（第１２面）
ε＝1.0000，
Ａ＝0，Ｂ＝-4.95125×10-6，Ｃ＝1.11061×10-6，
Ｄ＝-2.20761×10-8，Ｅ＝3.26282×10-10
（第１３面）
ε＝1.0000，
Ａ＝0，Ｂ＝6.63946×10-5，Ｃ＝1.32190×10-6，
Ｄ＝-2.59879×10-8，Ｅ＝3.75866×10-10
（第１７面）
ε＝1.0000，
Ａ＝0，Ｂ＝1.57052×10-5，Ｃ＝5.23184×10-6，
Ｄ＝-1.16508×10-7，Ｅ＝3.04822×10-9
（第１８面）
ε＝1.0000，
Ａ＝0，Ｂ＝1.16619×10-4，Ｃ＝6.08996×10-6，
Ｄ＝-1.66702×10-7，Ｅ＝4.75303×10-9
【０１２９】
（各種データ）
広角端    中間焦点位置    望遠端
焦点距離            10.09       19.79          38.83
Ｆナンバー            1.65        1.84           2.15
半画角（ω）        20.8         10.3             5.2
D(5)                  1.49      10.02          17.89
D(10)                18.90      10.37           2.49
D(16)                 4.64       2.39           3.27
D(21)                 2.03       4.28           3.40
【０１３０】
（ズームレンズ群データ）
群    始面      焦点距離
１      １        39.42
２      ６       -11.29
３    １２        26.31
４    １７        24.35
５    ２２       102.16
【０１３１】
（条件式（１）に関する数値）
ｆ３ａ（第３ａレンズ群Ｇ33aの焦点距離）＝25.39
ｆ３（第３レンズ群Ｇ33の焦点距離）＝26.31
ｆ３ａ／ｆ３＝0.97
【０１３２】
（条件式（２）に関する数値）
νｄ＿３ａ（正レンズＬ331のｄ線に対するアッベ数）＝81.56
【０１３３】
（条件式（３）に関する数値）
νｄ＿３ｂｐ（正レンズＬ332のｄ線に対するアッベ数）＝81.61
【０１３４】
（条件式（４）に関する数値）
ｆ１（第１レンズ群Ｇ31の焦点距離）＝39.42
ｆｗ（広角端におけるレンズ全系の焦点距離）＝10.09
ｆ１／ｆｗ＝3.91
【０１３５】
（条件式（５）に関する数値）
ｆ３（第３レンズ群Ｇ33の焦点距離）＝26.31
ｆｗ（広角端におけるレンズ全系の焦点距離）＝10.09
ｆ３／ｆｗ＝2.61
【０１３６】
（条件式（６）に関する数値）
νｄ＿４ｐ（正レンズＬ341のｄ線に対するアッベ数）＝81.56
【０１３７】
図６は、実施例３にかかるズームレンズの諸収差図である。球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【実施例４】
【０１３８】
図７は、実施例４にかかるズームレンズの構成を示す光軸に沿う断面図である。同図は、レンズ系の広角端の状態を示している。このズームレンズは、図示しない物体側から順に、正の屈折力を有する第１レンズ群Ｇ41と、負の屈折力を有する第２レンズ群Ｇ42と、正の屈折力を有する第３レンズ群Ｇ43と、正の屈折力を有する第４レンズ群Ｇ44と、正の屈折力を有する第５レンズ群Ｇ45と、が配置されて構成される。第２レンズ群Ｇ42と第３レンズ群Ｇ43との間には、所定の口径を規定する開口絞りＳＴＯＰが配置される。第５レンズ群Ｇ45と像面ＩＭＧとの間には、カバーガラスＣＧが配置される。
【０１３９】
第１レンズ群Ｇ41は、物体側から順に、負レンズＬ411と、正レンズＬ412と、正レンズＬ413と、が配置されて構成される。負レンズＬ411と正レンズＬ412とは、接合されている。
【０１４０】
第２レンズ群Ｇ42は、物体側から順に、負レンズＬ421と、負レンズＬ422と、正レンズＬ423と、が配置されて構成される。負レンズＬ422と正レンズＬ423とは、接合されている。
【０１４１】
第３レンズ群Ｇ43は、物体側から順に、正の屈折力を有する第３ａレンズ群Ｇ43aと、第３ｂレンズ群Ｇ43bと、が配置されて構成される。
【０１４２】
第３ａレンズ群Ｇ43aは、正レンズＬ431により構成される。正レンズＬ431の両面には、非球面が形成されている。第３ｂレンズ群Ｇ43bは、物体側から順に、正レンズＬ432と、負レンズＬ433と、が配置されて構成される。負レンズＬ433は、像面ＩＭＧ側に凹面を向けて配置されている。正レンズＬ432と負レンズＬ433とは、接合されている。
【０１４３】
第４レンズ群Ｇ44は、物体側から順に、正レンズＬ441と、正レンズＬ442と、負レンズＬ443と、が配置されて構成される。正レンズＬ441の両面には、非球面が形成されている。正レンズＬ442と負レンズＬ443とは、接合されている。
【０１４４】
第５レンズ群Ｇ45は、物体側から順に、負レンズＬ451と、正レンズＬ452と、が配置されて構成される。
【０１４５】
このズームレンズは、第１レンズ群Ｇ41、開口絞りＳＴＯＰ、第３レンズ群Ｇ43、および第５レンズ群Ｇ45を像面ＩＭＧに対して固定したまま、第２レンズ群Ｇ42をおよび第４レンズ群Ｇ44光軸に沿って移動させることによって、広角端から望遠端への変倍を行う。より具体的には、第２レンズ群Ｇ42を物体側から像面ＩＭＧ側へ移動させることによって、広角端から望遠端への変倍を行い、第４レンズ群Ｇ44を光軸に沿って移動させて、変倍に伴う焦点位置の補正、および合焦を行う。
【０１４６】
以下、実施例４にかかるズームレンズに関する各種数値データを示す。
【０１４７】
（面データ）
ｒ1＝69.344
ｄ1＝1.00    ｎｄ1＝1.92286    νｄ1＝18.90
ｒ2＝44.788
ｄ2＝3.43    ｎｄ2＝1.49700    νｄ2＝81.61
ｒ3＝-71.533
ｄ3＝0.10
ｒ4＝26.378
ｄ4＝2.61    ｎｄ3＝1.59282    νｄ3＝68.62
ｒ5＝56.467
ｄ5＝D(5)（可変）
ｒ6＝-72.354
ｄ6＝0.79    ｎｄ4＝1.83481    νｄ4＝42.72
ｒ7＝17.508
ｄ7＝1.90
ｒ8＝-18.489
ｄ8＝0.74    ｎｄ5＝1.58913    νｄ5＝61.25
ｒ9＝20.606
ｄ9＝1.65    ｎｄ6＝1.95906    νｄ6＝17.47
ｒ10＝105.904
ｄ10＝D(10)（可変）
ｒ11＝∞（開口絞り）
ｄ11＝0.33
ｒ12＝15.600（非球面）
ｄ12＝3.05    ｎｄ7＝1.43700    νｄ7＝95.10
ｒ13＝-40.403（非球面）
ｄ13＝0.10
ｒ14＝14.632
ｄ14＝2.97    ｎｄ8＝1.43700    νｄ8＝95.10
ｒ15＝-116.489
ｄ15＝0.55    ｎｄ9＝1.74950    νｄ9＝35.33
ｒ16＝20.843
ｄ16＝D(16)（可変）
ｒ17＝26.502（非球面）
ｄ17＝2.56    ｎｄ10＝1.55332    νｄ10＝71.68
ｒ18＝-21.909（非球面）
ｄ18＝0.10
ｒ19＝9.161
ｄ19＝2.21    ｎｄ11＝1.59282    νｄ11＝68.62
ｒ20＝13.681
ｄ20＝1.64    ｎｄ12＝1.72047    νｄ12＝34.71
ｒ21＝7.499
ｄ21＝D(21)（可変）
ｒ22＝35.301
ｄ22＝0.63    ｎｄ13＝1.72047    νｄ13＝34.71
ｒ23＝9.077
ｄ23＝0.85
ｒ24＝16.565
ｄ24＝1.64    ｎｄ14＝1.88100    νｄ14＝40.14
ｒ25＝-169.088
ｄ25＝6.29
ｒ26＝∞
ｄ26＝1.50    ｎｄ15＝1.51633    νｄ15＝64.14
ｒ27＝∞
ｄ27＝0.50
ｒ28＝∞（像面）
【０１４８】
円錐係数（ε）および非球面係数（Ａ，Ｂ，Ｃ，Ｄ，Ｅ）
（第１２面）
ε＝1.0000，
Ａ＝0，Ｂ＝-1.39214×10-5，Ｃ＝2.97629×10-7，
Ｄ＝-1.70224×10-9，Ｅ＝1.87499×10-10
（第１３面）
ε＝1.0000，
Ａ＝0，Ｂ＝7.26258×10-5，Ｃ＝5.91794×10-8，
Ｄ＝9.73322×10-9，Ｅ＝7.90494×10-11
（第１７面）
ε＝1.0000，
Ａ＝0，Ｂ＝-5.86444×10-6，Ｃ＝2.53260×10-6，
Ｄ＝-8.57985×10-8，Ｅ＝3.11321×10-9
（第１８面）
ε＝1.0000，
Ａ＝0，Ｂ＝7.04711×10-5，Ｃ＝2.92069×10-6，
Ｄ＝-1.16989×10-7，Ｅ＝3.98777×10-9
【０１４９】
（各種データ）
広角端    中間焦点位置    望遠端
焦点距離             9.79       19.29          37.68
Ｆナンバー            1.65        1.83           2.16
半画角（ω）        21.2         10.4             5.3
D(5)                  1.01      10.24          18.13
D(10)                19.73      10.51           2.62
D(16)                 5.04       2.91           2.29
D(21)                 1.90       4.03           4.65
【０１５０】
（ズームレンズ群データ）
群    始面      焦点距離
１      １        43.40
２      ６       -11.72
３    １２        27.80
４    １７        21.03
５    ２２       400.22
【０１５１】
（条件式（１）に関する数値）
ｆ３ａ（第３ａレンズ群Ｇ43aの焦点距離）＝26.19
ｆ３（第３レンズ群Ｇ43の焦点距離）＝27.80
ｆ３ａ／ｆ３＝0.94
【０１５２】
（条件式（２）に関する数値）
νｄ＿３ａ（正レンズＬ431のｄ線に対するアッベ数）＝95.10
【０１５３】
（条件式（３）に関する数値）
νｄ＿３ｂｐ（正レンズＬ432のｄ線に対するアッベ数）＝95.10
【０１５４】
（条件式（４）に関する数値）
ｆ１（第１レンズ群Ｇ41の焦点距離）＝43.40
ｆｗ（広角端におけるレンズ全系の焦点距離）＝9.79
ｆ１／ｆｗ＝4.43
【０１５５】
（条件式（５）に関する数値）
ｆ３（第３レンズ群Ｇ43の焦点距離）＝27.80
ｆｗ（広角端におけるレンズ全系の焦点距離）＝9.79
ｆ３／ｆｗ＝2.84
【０１５６】
（条件式（６）に関する数値）
νｄ＿４ｐ（正レンズＬ441のｄ線に対するアッベ数）＝71.68
【０１５７】
図８は、実施例４にかかるズームレンズの諸収差図である。球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【実施例５】
【０１５８】
図９は、実施例５にかかるズームレンズの構成を示す光軸に沿う断面図である。同図は、レンズ系の広角端の状態を示している。このズームレンズは、図示しない物体側から順に、正の屈折力を有する第１レンズ群Ｇ51と、負の屈折力を有する第２レンズ群Ｇ52と、正の屈折力を有する第３レンズ群Ｇ53と、正の屈折力を有する第４レンズ群Ｇ54と、正の屈折力を有する第５レンズ群Ｇ55と、が配置されて構成される。第２レンズ群Ｇ52と第３レンズ群Ｇ53との間には、所定の口径を規定する開口絞りＳＴＯＰが配置される。第５レンズ群Ｇ55と像面ＩＭＧとの間には、カバーガラスＣＧが配置される。
【０１５９】
第１レンズ群Ｇ51は、物体側から順に、負レンズＬ511と、正レンズＬ512と、正レンズＬ513と、が配置されて構成される。負レンズＬ511と正レンズＬ512とは、接合されている。
【０１６０】
第２レンズ群Ｇ52は、物体側から順に、負レンズＬ521と、負レンズＬ522と、正レンズＬ523と、が配置されて構成される。負レンズＬ522と正レンズＬ523とは、接合されている。
【０１６１】
第３レンズ群Ｇ53は、物体側から順に、正の屈折力を有する第３ａレンズ群Ｇ53aと、第３ｂレンズ群Ｇ53bと、が配置されて構成される。
【０１６２】
第３ａレンズ群Ｇ53aは、正レンズＬ531により構成される。正レンズＬ531の両面には、非球面が形成されている。第３ｂレンズ群Ｇ53bは、物体側から順に、正レンズＬ532と、負レンズＬ533と、が配置されて構成される。負レンズＬ533は、像面ＩＭＧ側に凹面を向けて配置されている。正レンズＬ532と負レンズＬ533とは、接合されている。
【０１６３】
第４レンズ群Ｇ54は、物体側から順に、正レンズＬ541と、正レンズＬ542と、負レンズＬ543と、が配置されて構成される。正レンズＬ541の両面には、非球面が形成されている。正レンズＬ542と負レンズＬ543とは、接合されている。
【０１６４】
第５レンズ群Ｇ55は、物体側から順に、負レンズＬ551と、正レンズＬ552と、が配置されて構成される。
【０１６５】
このズームレンズは、第１レンズ群Ｇ51、開口絞りＳＴＯＰ、第３レンズ群Ｇ53、および第５レンズ群Ｇ55を像面ＩＭＧに対して固定したまま、第２レンズ群Ｇ52および第４レンズ群Ｇ54を光軸に沿って移動させることによって、広角端から望遠端への変倍を行う。より具体的には、第２レンズ群Ｇ52を物体側から像面ＩＭＧ側へ移動させることによって、広角端から望遠端への変倍を行い、第４レンズ群Ｇ54を光軸に沿って移動させて、変倍に伴う焦点位置の補正、および合焦を行う。
【０１６６】
以下、実施例５にかかるズームレンズに関する各種数値データを示す。
【０１６７】
（面データ）
ｒ1＝70.305
ｄ1＝1.00    ｎｄ1＝1.92286    νｄ1＝18.90
ｒ2＝45.350
ｄ2＝3.30    ｎｄ2＝1.49700    νｄ2＝81.61
ｒ3＝-73.194
ｄ3＝0.10
ｒ4＝26.348
ｄ4＝2.41    ｎｄ3＝1.59282    νｄ3＝68.62
ｒ5＝56.940
ｄ5＝D(5)（可変）
ｒ6＝-74.966
ｄ6＝0.55    ｎｄ4＝1.80610    νｄ4＝40.73
ｒ7＝15.661
ｄ7＝2.87
ｒ8＝-17.632
ｄ8＝0.71    ｎｄ5＝1.51680    νｄ5＝64.20
ｒ9＝20.410
ｄ9＝1.60    ｎｄ6＝1.95906    νｄ6＝17.47
ｒ10＝93.892
ｄ10＝D(10)（可変）
ｒ11＝∞（開口絞り）
ｄ11＝0.36
ｒ12＝15.400（非球面）
ｄ12＝3.00    ｎｄ7＝1.49710    νｄ7＝81.56
ｒ13＝-51.875（非球面）
ｄ13＝0.10
ｒ14＝16.926
ｄ14＝3.00    ｎｄ8＝1.59282    νｄ8＝68.62
ｒ15＝-80.677
ｄ15＝0.55    ｎｄ9＝1.74950    νｄ9＝35.33
ｒ16＝16.192
ｄ16＝D(16)（可変）
ｒ17＝24.157（非球面）
ｄ17＝2.50    ｎｄ10＝1.55332    νｄ10＝71.68
ｒ18＝-22.021（非球面）
ｄ18＝0.10
ｒ19＝8.486
ｄ19＝2.22    ｎｄ11＝1.43700    νｄ11＝95.10
ｒ20＝14.090
ｄ20＝1.50    ｎｄ12＝1.72047    νｄ12＝34.71
ｒ21＝7.726
ｄ21＝D(21)（可変）
ｒ22＝21.947
ｄ22＝0.50    ｎｄ13＝1.72047    νｄ13＝34.71
ｒ23＝8.287
ｄ23＝0.58
ｒ24＝17.693
ｄ24＝1.60    ｎｄ14＝1.80420    νｄ14＝46.50
ｒ25＝-99.512
ｄ25＝6.29
ｒ26＝∞
ｄ26＝1.50    ｎｄ15＝1.51633    νｄ15＝64.14
ｒ27＝∞
ｄ27＝0.50
ｒ28＝∞（像面）
【０１６８】
円錐係数（ε）および非球面係数（Ａ，Ｂ，Ｃ，Ｄ，Ｅ）
（第１２面）
ε＝1.0000，
Ａ＝0，Ｂ＝-1.25858×10-5，Ｃ＝2.30429×10-8，
Ｄ＝-8.21592×10-9，Ｅ＝1.63105×10-10
（第１３面）
ε＝1.0000，
Ａ＝0，Ｂ＝6.93665×10-5，Ｃ＝-9.99862×10-8，
Ｄ＝-3.43382×10-9，Ｅ＝1.21864×10-10
（第１７面）
ε＝1.0000，
Ａ＝0，Ｂ＝-3.37976×10-5，Ｃ＝3.03969×10-6，
Ｄ＝-1.30373×10-7，Ｅ＝3.66167×10-9
（第１８面）
ε＝1.0000，
Ａ＝0，Ｂ＝3.84888×10-5，Ｃ＝2.98942×10-6，
Ｄ＝-1.36606×10-7，Ｅ＝4.02689×10-9
【０１６９】
（各種データ）
広角端    中間焦点位置    望遠端
焦点距離             9.70       19.07          37.50
Ｆナンバー            1.65        1.80           2.18
半画角（ω）        21.2         10.4             5.3
D(5)                  1.01      10.44          18.63
D(10)                20.04      10.61           2.42
D(16)                 5.06       2.99           2.57
D(21)                 1.87       3.94           4.36
【０１７０】
（ズームレンズ群データ）
群    始面      焦点距離
１      １        43.68
２      ６       -11.97
３    １２        27.24
４    １７        21.53
５    ２２       692.63
【０１７１】
（条件式（１）に関する数値）
ｆ３ａ（第３ａレンズ群Ｇ53aの焦点距離）＝24.25
ｆ３（第３レンズ群Ｇ53の焦点距離）＝27.24
ｆ３ａ／ｆ３＝0.89
【０１７２】
（条件式（２）に関する数値）
νｄ＿３ａ（正レンズＬ531のｄ線に対するアッベ数）＝81.56
【０１７３】
（条件式（３）に関する数値）
νｄ＿３ｂｐ（正レンズＬ532のｄ線に対するアッベ数）＝68.62
【０１７４】
（条件式（４）に関する数値）
ｆ１（第１レンズ群Ｇ51の焦点距離）＝43.68
ｆｗ（広角端におけるレンズ全系の焦点距離）＝9.70
ｆ１／ｆｗ＝4.50
【０１７５】
（条件式（５）に関する数値）
ｆ３（第３レンズ群Ｇ53の焦点距離）＝27.24
ｆｗ（広角端におけるレンズ全系の焦点距離）＝9.70
ｆ３／ｆｗ＝2.81
【０１７６】
（条件式（６）に関する数値）
νｄ＿４ｐ（正レンズＬ541のｄ線に対するアッベ数）＝71.68
【０１７７】
図１０は、実施例５にかかるズームレンズの諸収差図である球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【実施例６】
【０１７８】
図１１は、実施例６にかかるズームレンズの構成を示す光軸に沿う断面図である。同図は、レンズ系の広角端の状態を示している。このズームレンズは、図示しない物体側から順に、正の屈折力を有する第１レンズ群Ｇ61と、負の屈折力を有する第２レンズ群Ｇ62と、正の屈折力を有する第３レンズ群Ｇ63と、正の屈折力を有する第４レンズ群Ｇ64と、負の屈折力を有する第５レンズ群Ｇ65と、が配置されて構成される。第２レンズ群Ｇ62と第３レンズ群Ｇ63との間には、所定の口径を規定する開口絞りＳＴＯＰが配置される。第５レンズ群Ｇ65と像面ＩＭＧとの間には、カバーガラスＣＧが配置される。
【０１７９】
第１レンズ群Ｇ61は、物体側から順に、負レンズＬ611と、正レンズＬ612と、正レンズＬ613と、が配置されて構成される。負レンズＬ611と正レンズＬ612とは、接合されている。
【０１８０】
第２レンズ群Ｇ62は、物体側から順に、負レンズＬ621と、負レンズＬ622と、正レンズＬ623と、が配置されて構成される。負レンズＬ622と正レンズＬ623とは、接合されている。
【０１８１】
第３レンズ群Ｇ63は、物体側から順に、正の屈折力を有する第３ａレンズ群Ｇ63aと、第３ｂレンズ群Ｇ63bと、が配置されて構成される。
【０１８２】
第３ａレンズ群Ｇ63aは、正レンズＬ631により構成される。正レンズＬ631の両面には、非球面が形成されている。第３ｂレンズ群Ｇ63bは、物体側から順に、正レンズＬ632と、負レンズＬ633と、正レンズＬ634と、が配置されて構成される。負レンズＬ633は、像面ＩＭＧ側に凹面を向けて配置されている。正レンズＬ632と負レンズＬ633とは、接合されている。
【０１８３】
第４レンズ群Ｇ64は、物体側から順に、正レンズＬ641と、正レンズＬ642と、負レンズＬ643と、が配置されて構成される。正レンズＬ641の両面には、非球面が形成されている。正レンズＬ642と負レンズＬ643とは、接合されている。
【０１８４】
第５レンズ群Ｇ65は、物体側から順に、負レンズＬ651と、正レンズＬ652と、が配置されて構成される。
【０１８５】
このズームレンズは、第１レンズ群Ｇ61、開口絞りＳＴＯＰ、第３レンズ群Ｇ63、および第５レンズ群Ｇ65を像面ＩＭＧに対して固定したまま、第２レンズ群Ｇ62をおよび第４レンズ群Ｇ64を光軸に沿って移動させることによって、広角端から望遠端への変倍を行う。より具体的には、第２レンズ群Ｇ62を物体側から像面ＩＭＧ側へ移動させることによって、広角端から望遠端への変倍を行い、第４レンズ群Ｇ64を光軸に沿って移動させて、変倍に伴う焦点位置の補正、および合焦を行う。
【０１８６】
以下、実施例６にかかるズームレンズに関する各種数値データを示す。
【０１８７】
（面データ）
ｒ1＝66.589
ｄ1＝1.00    ｎｄ1＝1.92286    νｄ1＝18.90
ｒ2＝43.260
ｄ2＝3.30    ｎｄ2＝1.49700    νｄ2＝81.61
ｒ3＝-70.449
ｄ3＝0.10
ｒ4＝26.051
ｄ4＝2.43    ｎｄ3＝1.59282    νｄ3＝68.62
ｒ5＝58.572
ｄ5＝D(5)（可変）
ｒ6＝-60.735
ｄ6＝0.54    ｎｄ4＝1.83481    νｄ4＝42.72
ｒ7＝16.729
ｄ7＝1.86
ｒ8＝-17.746
ｄ8＝0.54    ｎｄ5＝1.51680    νｄ5＝64.20
ｒ9＝19.269
ｄ9＝1.89    ｎｄ6＝1.95906    νｄ6＝17.47
ｒ10＝71.260
ｄ10＝D(10)（可変）
ｒ11＝∞（開口絞り）
ｄ11＝0.30
ｒ12＝18.000（非球面）
ｄ12＝2.45    ｎｄ7＝1.49710    νｄ7＝81.56
ｒ13＝-94.976（非球面）
ｄ13＝0.10
ｒ14＝14.789
ｄ14＝2.75    ｎｄ8＝1.43700    νｄ8＝95.10
ｒ15＝-70.638
ｄ15＝0.55    ｎｄ9＝1.67300    νｄ9＝38.15
ｒ16＝19.180
ｄ16＝0.92
ｒ17＝48.778
ｄ17＝1.43    ｎｄ10＝1.43700    νｄ10＝95.10
ｒ18＝-134.743
ｄ18＝D(18)（可変）
ｒ19＝23.492（非球面）
ｄ19＝2.35    ｎｄ11＝1.49710    νｄ11＝81.56
ｒ20＝-21.793（非球面）
ｄ20＝0.10
ｒ21＝8.770
ｄ21＝2.21    ｎｄ12＝1.43700    νｄ12＝95.10
ｒ22＝12.896
ｄ22＝1.76    ｎｄ13＝1.72047    νｄ13＝34.71
ｒ23＝7.825
ｄ23＝D(23)（可変）
ｒ24＝35.697
ｄ24＝0.54    ｎｄ14＝1.67300    νｄ14＝38.15
ｒ25＝8.387
ｄ25＝0.68
ｒ26＝16.486
ｄ26＝1.43    ｎｄ15＝1.88100    νｄ15＝40.14
ｒ27＝-346.237
ｄ27＝6.29
ｒ28＝∞
ｄ28＝1.50    ｎｄ16＝1.51633    νｄ16＝64.14
ｒ29＝∞
ｄ29＝0.50
ｒ30＝∞（像面）
【０１８８】
円錐係数（ε）および非球面係数（Ａ，Ｂ，Ｃ，Ｄ，Ｅ）
（第１２面）
ε＝1.0000，
Ａ＝0，Ｂ＝9.65538×10-6，Ｃ＝8.55980×10-7，
Ｄ＝-2.16976×10-8，Ｅ＝3.23657×10-10
（第１３面）
ε＝1.0000，
Ａ＝0，Ｂ＝6.57015×10-5，Ｃ＝1.06472×10-6，
Ｄ＝-2.60488×10-8，Ｅ＝3.70184×10-10
（第１９面）
ε＝1.0000，
Ａ＝0，Ｂ＝-6.56513×10-5，Ｃ＝2.79634×10-6，
Ｄ＝-1.07095×10-7，Ｅ＝2.31882×10-9
（第２０面）
ε＝1.0000，
Ａ＝0，Ｂ＝2.52689×10-5，Ｃ＝2.29387×10-6，
Ｄ＝-8.45728×10-8，Ｅ＝2.06526×10-9
【０１８９】
（各種データ）
広角端    中間焦点位置    望遠端
焦点距離             9.90       19.43          38.12
Ｆナンバー            1.65        1.81           2.13
半画角（ω）        20.9         10.3             5.2
D(5)                  0.99      10.17          18.10
D(10)                19.51      10.33           2.40
D(18)                 4.92       2.93           2.83
D(23)                 1.88       3.87           3.98
【０１９０】
（ズームレンズ群データ）
群    始面      焦点距離
１      １        41.74
２      ６       -11.56
３    １２        25.76
４    １９        22.82
５    ２４      -340.81
【０１９１】
（条件式（１）に関する数値）
ｆ３ａ（第３ａレンズ群Ｇ63aの焦点距離）＝30.66
ｆ３（第３レンズ群Ｇ63の焦点距離）＝25.76
ｆ３ａ／ｆ３＝1.19
【０１９２】
（条件式（２）に関する数値）
νｄ＿３ａ（正レンズＬ631のｄ線に対するアッベ数）＝81.56
【０１９３】
（条件式（３）に関する数値）
νｄ＿３ｂｐ（正レンズＬ632のｄ線に対するアッベ数）＝95.10
【０１９４】
（条件式（４）に関する数値）
ｆ１（第１レンズ群Ｇ61の焦点距離）＝41.74
ｆｗ（広角端におけるレンズ全系の焦点距離）＝9.90
ｆ１／ｆｗ＝4.22
【０１９５】
（条件式（５）に関する数値）
ｆ３（第３レンズ群Ｇ63の焦点距離）＝25.76
ｆｗ（広角端におけるレンズ全系の焦点距離）＝9.90
ｆ３／ｆｗ＝2.60
【０１９６】
（条件式（６）に関する数値）
νｄ＿４ｐ（正レンズＬ641のｄ線に対するアッベ数）＝81.56
【０１９７】
図１２は、実施例６にかかるズームレンズの諸収差図である。球面収差図において、ＦＮＯはＦナンバーを表し、実線はｄ線（５８７．６ｎｍ）、短破線はｇ線（４３５．８ｎｍ）、長破線はＣ線（６５６．３ｎｍ）、一点鎖線は近赤外光線（８５０．０ｎｍ、図中、ＩＲで示す）の特性を示している。非点収差図において、ωは半画角を表し、ｄ線の特性を示している。なお、非点収差図において、実線はサジタル像面（図中、Ｓで示す）、破線はメリディオナル像面（図中、Ｍで示す）の特性を示している。歪曲収差図において、ωは半画角を表し、ｄ線の特性を示している。
【０１９８】
なお、上記各実施例中の数値データにおいて、ｒ1，ｒ2，・・・・はレンズ面等の曲率半径、ｄ1，ｄ2，・・・・はレンズ等の肉厚またはそれらの面間隔、ｎｄ1，ｎｄ2，・・・・はレンズ等のｄ線（５８７．６ｎｍ）に対する屈折率、νｄ1，νｄ2，・・・・はレンズ等のｄ線に対するアッベ数を示している。そして、長さの単位はすべて「ｍｍ」、角度の単位はすべて「°」である。なお、曲率半径の符号は物体側に凸の場合を正とする。
【０１９９】
また、上記各非球面形状は、光軸に垂直な方向の高さをＨ、レンズ面頂を原点としたときの高さＨにおける光軸方向の変位量をＸ、近軸曲率半径をＲ、円錐係数をε、２次，４次，６次，８次，１０次の非球面係数をそれぞれＡ，Ｂ，Ｃ，Ｄ，Ｅとし、像面方向を正とするとき、以下に示す式により表される。
【０２００】
【数１】
0006660757.tif 000002
【０２０１】
上記各実施例に示したように、上記各条件式を満足することにより、可視光域から近赤外域までの広範な波長域の光に対して色収差が良好に補正され高い解像力を備えた、小型のズームレンズを実現することができる。
【０２０２】
＜適用例＞
次に、本発明にかかるズームレンズを撮像装置に適用した例を示す。図１３は、本発明にかかるズームレンズを備えた撮像装置の一例を示す図である。図１３に示すように、撮像装置１００は、ズームレンズ１０を収容したレンズ鏡筒部１１と、固体撮像素子２０を備えたカメラ本体２１と、により構成される。ズームレンズ１０は、図示しないメカ機構の駆動によって変倍等が実行される。なお、図１３では、ズームレンズ１０として実施例１（図１を参照）のものを示したが、実施例２〜６に示したズームレンズであっても同様に撮像装置１００に搭載可能である。
【０２０３】
ズームレンズ１０と固体撮像素子２０とを備えた撮像装置１００において、図１に示した像面ＩＭＧが固体撮像素子２０の撮像面に相当する。固体撮像素子２０としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０２０４】
撮像装置１００において、ズームレンズ１０の物体側から入射した光が最終的に固体撮像素子２０の撮像面に結像する。そして、固体撮像素子２０は受像した光を光電変換して電気信号として出力する。この出力信号が図示しない信号処理回路によって演算処理され、物体像に対応したデジタル画像が生成される。デジタル画像は、たとえばＨＤＤ（Ｈａｒｄ Ｄｉｓｋ Ｄｒｉｖｅ）やメモリカード、光ディスク、磁気テープなどの記録媒体に記録することが可能である。
【０２０５】
上記のように構成することで、可視光域のみならず近赤外域までの広範な波長域の光に対しても高い解像力を備えた、高性能の撮像装置を実現することができる。
【産業上の利用可能性】
【０２０６】
以上のように、本発明にかかるズームレンズは、ＣＣＤやＣＭＯＳ等の固体撮像素子が搭載された小型の撮像装置に有用であり、特に、可視光域のみならず近赤外域までの広範な波長域の光に対しても高い解像力が要求される撮像装置に適している。
【符号の説明】
【０２０７】
Ｇ11，Ｇ21，Ｇ31，Ｇ41，Ｇ51，Ｇ61  第１レンズ群
Ｇ12，Ｇ22，Ｇ32，Ｇ42，Ｇ52，Ｇ62  第２レンズ群
Ｇ13，Ｇ23，Ｇ33，Ｇ43，Ｇ53，Ｇ63  第３レンズ群
Ｇ14，Ｇ24，Ｇ34，Ｇ44，Ｇ54，Ｇ64  第４レンズ群
Ｇ15，Ｇ25，Ｇ35，Ｇ45，Ｇ55，Ｇ65  第５レンズ群
Ｇ13a，Ｇ23a，Ｇ33a，Ｇ43a，Ｇ53a，Ｇ63a  第３ａレンズ群
Ｇ13b，Ｇ23b，Ｇ33b，Ｇ43b，Ｇ53b，Ｇ63b  第３ｂレンズ群
Ｌ111，Ｌ121，Ｌ122，Ｌ133，Ｌ143，Ｌ151，Ｌ211，Ｌ221，Ｌ222，Ｌ233，Ｌ243，Ｌ251，Ｌ311，Ｌ321，Ｌ322，Ｌ333，Ｌ343，Ｌ351，Ｌ411，Ｌ421，Ｌ422，Ｌ433，Ｌ443，Ｌ451，Ｌ511，Ｌ521，Ｌ522，Ｌ533，Ｌ543，Ｌ551，Ｌ611，Ｌ621，Ｌ622，Ｌ633，Ｌ643，Ｌ651  負レンズ
Ｌ112，Ｌ113，Ｌ123，Ｌ131，Ｌ132，Ｌ141，Ｌ142，Ｌ152，Ｌ212，Ｌ213，Ｌ223，Ｌ231，Ｌ232，Ｌ241，Ｌ242，Ｌ252，Ｌ312，Ｌ313，Ｌ323，Ｌ331，Ｌ332，Ｌ341，Ｌ342，Ｌ352，Ｌ412，Ｌ413，Ｌ423，Ｌ431，Ｌ432，Ｌ441，Ｌ442，Ｌ452，Ｌ512，Ｌ513，Ｌ523，Ｌ531，Ｌ532，Ｌ541，Ｌ542，Ｌ552，Ｌ612，Ｌ613，Ｌ623，Ｌ631，Ｌ632，Ｌ634，Ｌ641，Ｌ642，Ｌ652  正レンズ
ＳＴＯＰ  開口絞り
ＣＧ  カバーガラス
ＩＭＧ  像面
１０  ズームレンズ
１１  レンズ鏡筒部
２０  固体撮像素子
２１  カメラ本体
１００  撮像装置
【図１】
0006660757.tif 000003
【図２】
0006660757.tif 000004
【図３】
0006660757.tif 000005
【図４】
0006660757.tif 000006
【図５】
0006660757.tif 000007
【図６】
0006660757.tif 000008
【図７】
0006660757.tif 000009
【図８】
0006660757.tif 000010
【図９】
0006660757.tif 000011
【図１０】
0006660757.tif 000012
【図１１】
0006660757.tif 000013
【図１２】
0006660757.tif 000014
【図１３】
0006660757.tif 000015